(57)【要約】【課題】ファイルとして記録されているコンテンツ情報に関して、例えばＰＣにおいてファイルとしての読み込みが非常に困難となる情報記録媒体を提供する。【解決手段】ファイルとしてコンテンツ情報が記録されたコンテンツ情報記録エリアと、前記ファイルに設けられ、前記コンテンツ情報が再生されるときに再生制御シーケンスに従って再生されないジャンプ領域２０２とを備えた情報記録媒体であって、前記ジャンプ領域２０２には、エラー訂正コードではエラー訂正が行なわれないエラーデータ２０３が書き込まれている。【選択図】        図４
2006221685.tif 000002
【特許請求の範囲】
【請求項１】
ファイルとしてコンテンツ情報が記録されたコンテンツ情報記録エリアと、
前記ファイルに設けられ、前記コンテンツ情報が再生されるときに再生制御シーケンスに従って再生されないジャンプ領域とを備えた情報記録媒体であって、
前記ジャンプ領域には、エラー訂正コードではエラー訂正が行なわれないエラーデータが書き込まれている
ことを特徴とする情報記録媒体。
【請求項２】
請求項１記載の情報記録媒体において、
前記エラーデータは、複数の前記ジャンプ領域の中の任意の前記ジャンプ領域に含まれている
ことを特徴とする情報記録媒体。
【請求項３】
請求項１または２に記載の情報記録媒体において、
前記エラーデータは、前記コンテンツ情報が前記情報記録媒体に記録された後に前記ジャンプ領域にオーバーライトされる
ことを特徴とする情報記録媒体。
【請求項４】
請求項１から３のいずれか１項に記載の情報記録媒体において、
前記エラーデータは、前記ジャンプ領域にデータの書き込み動作が実行されないことによって構成される未記録領域である
ことを特徴とする情報記録媒体。
【請求項５】
請求項１から４のいずれか１項に記載の情報記録媒体において、
予め定められた前記再生制御シーケンスによって前記ファイルの中の所定の領域に前記ジャンプ領域が設けられている
ことを特徴とする情報記録媒体。
【請求項６】
請求項１から５のいずれか１項に記載の情報記録媒体において、
予め定められた前記再生制御シーケンスによって前記ファイルの中に所定の大きさの前記ジャンプ領域が設けられている
ことを特徴とする情報記録媒体。
【請求項７】
ファイルとしてコンテンツ情報が記録されたコンテンツ情報記録エリアと、
前記ファイルに設けられ、前記コンテンツ情報が再生されるときに再生制御シーケンスに従って再生されないジャンプ領域とを備えた情報記録媒体であって、
前記情報記録媒体のエラー訂正コードが書き込まれるべきＥＣＣ領域には、エラー訂正を行なうことができない誤ったデータが書き込まれており、
前記ＥＣＣ領域は、前記ジャンプ領域に設定されている
ことを特徴とする情報記録媒体。
【請求項８】
ファイルとしてコンテンツ情報が記録されたコンテンツ情報記録エリアと、
前記ファイルに設けられ、前記コンテンツ情報が再生されるときに再生制御シーケンスに従って再生されないジャンプ領域とを備えた情報記録媒体であって、
前記ジャンプ領域の物理アドレスは、不連続となるように設定されている
ことを特徴とする情報記録媒体。
【請求項９】
ファイルとしてコンテンツ情報が記録可能なコンテンツ情報記録エリアと前記ファイルに設けられ前記コンテンツ情報が再生されるときに再生制御シーケンスに従って再生されないジャンプ領域とを備えた情報記録媒体に対して、コンテンツ情報を記録する情報記録装置であって、
前記情報記録媒体にデータを書き込み可能な書き込み手段と、
前記ジャンプ領域には、エラー訂正コードではエラー訂正が行なわれないエラーデータが含まれるように前記書き込み手段を制御する制御手段と
を備えたことを特徴とする情報記録装置。
【請求項１０】
請求項９記載の情報記録装置において、
前記制御手段は、前記エラーデータが、複数の前記ジャンプ領域の中の任意の前記ジャンプ領域に含まれるように前記書き込み手段を制御する
ことを特徴とする情報記録装置。
【請求項１１】
請求項９または１０に記載の情報記録装置において、
前記制御手段は、前記コンテンツ情報を前記情報記録媒体に書き込んだ後に前記エラーデータを前記ジャンプ領域にオーバーライトするように前記書き込み手段を制御する
ことを特徴とする情報記録装置。
【請求項１２】
請求項９から１１のいずれか１項に記載の情報記録装置において、
前記制御手段は、前記ジャンプ領域にはデータの書き込みを実行しないように前記書き込み手段を制御する
ことを特徴とする情報記録装置。
【請求項１３】
請求項９から１２のいずれか１項に記載の情報記録装置において、
更に、ライティングソフトウェアを備え、
前記ライティングソフトウェアは、前記ライティングソフトウェアが実行されることにより、前記ファイルの中の所定の領域に前記ジャンプ領域が設けられる再生制御シーケンスが定められるようなオーサリングが可能なように記述されている
ことを特徴とする情報記録装置。
【請求項１４】
請求項９から１３のいずれか１項に記載の情報記録装置において、
更に、ライティングソフトウェアを備え、
前記ライティングソフトウェアは、前記ライティングソフトウェアが実行されることにより、前記ファイルの中に所定の大きさの前記ジャンプ領域が設けられる再生制御シーケンスが定められるようなオーサリングが可能なように記述されている
ことを特徴とする情報記録装置。
【請求項１５】
ファイルとしてコンテンツ情報が記録されたコンテンツ情報記録エリアと、前記ファイルに設けられ前記コンテンツ情報が再生されるときに再生制御シーケンスに従って再生されないジャンプ領域とを備えた情報記録媒体に対して、コンテンツ情報を記録する情報記録装置であって、
前記情報記録媒体にデータを書き込み可能な書き込み手段と、
ライティングソフトウェアと、
前記情報記録媒体のエラー訂正コードが書き込まれるべきＥＣＣ領域には、エラー訂正を行なうことができない誤ったデータを書き込むように前記書き込み手段を制御する制御手段とを備え、
前記ライティングソフトウェアは、前記ライティングソフトウェアが実行されることにより、前記ＥＣＣ領域が前記ジャンプ領域に設定されるように記述されている
ことを特徴とする情報記録装置。
【請求項１６】
ファイルとしてコンテンツ情報が記録されたコンテンツ情報記録エリアと、前記ファイルに設けられ前記コンテンツ情報が再生されるときに再生制御シーケンスに従って再生されないジャンプ領域とを備えた情報記録媒体に対して、コンテンツ情報を記録する情報記録装置であって、
前記ジャンプ領域の物理アドレスを不連続な値に設定するアドレス設定手段を備えた
ことを特徴とする情報記録装置。
【請求項１７】
ファイルとしてコンテンツ情報が記録可能なコンテンツ情報記録エリアと前記ファイルに設けられ前記コンテンツ情報が再生されるときに再生制御シーケンスに従って再生されないジャンプ領域とを備えた情報記録媒体に対して、コンテンツ情報を記録する情報記録方法であって、
前記ジャンプ領域には、エラー訂正コードではエラー訂正が行なわれないエラーデータが含まれるようにする工程を備えた
ことを特徴とする情報記録方法。
【請求項１８】
請求項９記載の情報記録装置に備えられたコンピュータを制御するコンピュータプログラムであって、
前記コンピュータを、前記制御手段及び前記書き込み手段の少なくとも一部として機能させる
ことを特徴とするコンピュータプログラム。
【発明の詳細な説明】
【技術分野】
【０００１】
本発明は、例えばＤＶＤ等の情報記録媒体、ＤＶＤレコーダ等の情報記録装置及び方法、並びにコンピュータプログラムに関する。
【背景技術】
【０００２】
近年、著作権意識の向上による、一回コピー許可放送や、電子配信、ＫＩＯＳＫなどの普及により、記録可能なメディア、例えば一回のみ書き込み可能なＤＶＤ−Ｒ（Recordable）や繰り返し書き込み可能なＤＶＤ−ＲＷ（Rewritable）においても暗号化が行なわれるようになってきた。
【０００３】
従来、ＤＶＤ−Ｖｉｄｅｏにおける暗号化は、ＲＯＭメディアでしか行なわれてこなかったが、最近では、記録可能なメディアにおいても、暗号化処理の要望は強くなってきている。
【０００４】
特許文献１には、光学的に情報が記録されるトラックを備える光ディスク等の記録媒体において、トラックへの情報の不正記録に用いられる光ビームの照射位置を、当該光ビームが照射されるトラックである照射トラックから当該照射トラックに隣接して形成されるトラックであって照射トラックに情報が記録される前に情報が記録されるトラックである隣接トラックへ遷移させる遷移部が、上記形成されたトラックに連続するように形成されている記録媒体の技術が開示されている。この技術によれば、不法記録時においては、光ビームの照射位置が照射トラックから隣接トラックへ遷移するので、既に記録された情報の上に情報が上書きされることが照射トラックと隣接トラックとの間で繰り返されることとなり、情報の不法複写を防止できるものである。
【０００５】
【特許文献１】特開平１１−３２８６７５号公報
【発明の開示】
【発明が解決しようとする課題】
【０００６】
情報記録媒体にファイルとして記録されているコンテンツ情報が、例えばＰＣ（パーソナルコンピュータ）においてファイルとして読み込まれた場合には、上記情報記録媒体から上記コンテンツ情報が不正にファイルコピーされる。ファイルコピーが行なわれた場合には、上記情報記録媒体において使用されている暗号の解除が行われるおそれがある。
【０００７】
本発明の目的は、ファイルとして記録されているコンテンツ情報に関して、例えばＰＣにおいてファイルとしての読み込みが非常に困難となる情報記録媒体、情報記録装置及び方法、並びにコンピュータプログラムを提供することを目的としている。
【課題を解決するための手段】
【０００８】
請求項１に記載の発明は、ファイルとしてコンテンツ情報が記録されたコンテンツ情報記録エリアと、前記ファイルに設けられ、前記コンテンツ情報が再生されるときに再生制御シーケンスに従って再生されないジャンプ領域とを備えた情報記録媒体であって、前記ジャンプ領域には、エラー訂正コードではエラー訂正が行なわれないエラーデータが書き込まれていることを特徴としている。
【０００９】
請求項７に記載の発明は、ファイルとしてコンテンツ情報が記録されたコンテンツ情報記録エリアと、前記ファイルに設けられ、前記コンテンツ情報が再生されるときに再生制御シーケンスに従って再生されないジャンプ領域とを備えた情報記録媒体であって、前記情報記録媒体のエラー訂正コードが書き込まれるべきＥＣＣ領域には、エラー訂正を行なうことができない誤ったデータが書き込まれており、前記ＥＣＣ領域は、前記ジャンプ領域に設定されていることを特徴としている。
【００１０】
請求項８に記載の発明は、ファイルとしてコンテンツ情報が記録されたコンテンツ情報記録エリアと、前記ファイルに設けられ、前記コンテンツ情報が再生されるときに再生制御シーケンスに従って再生されないジャンプ領域とを備えた情報記録媒体であって、前記ジャンプ領域の物理アドレスは、不連続となるように設定されていることを特徴としている。
【００１１】
請求項９に記載の発明は、ファイルとしてコンテンツ情報が記録可能なコンテンツ情報記録エリアと前記ファイルに設けられ前記コンテンツ情報が再生されるときに再生制御シーケンスに従って再生されないジャンプ領域とを備えた情報記録媒体に対して、コンテンツ情報を記録する情報記録装置であって、前記情報記録媒体にデータを書き込み可能な書き込み手段と、前記ジャンプ領域には、エラー訂正コードではエラー訂正が行なわれないエラーデータが含まれるように前記書き込み手段を制御する制御手段とを備えたことを特徴としている。
【００１２】
請求項１５に記載の発明は、ファイルとしてコンテンツ情報が記録されたコンテンツ情報記録エリアと、前記ファイルに設けられ前記コンテンツ情報が再生されるときに再生制御シーケンスに従って再生されないジャンプ領域とを備えた情報記録媒体に対して、コンテンツ情報を記録する情報記録装置であって、前記情報記録媒体にデータを書き込み可能な書き込み手段と、ライティングソフトウェアと、前記情報記録媒体のエラー訂正コードが書き込まれるべきＥＣＣ領域には、エラー訂正を行なうことができない誤ったデータを書き込むように前記書き込み手段を制御する制御手段とを備え、前記前記ライティングソフトウェアは、前記ライティングソフトウェアが実行されることにより、前記ＥＣＣ領域が前記ジャンプ領域に設定されるように記述されていることを特徴としている。
【００１３】
請求項１６に記載の発明は、ファイルとしてコンテンツ情報が記録されたコンテンツ情報記録エリアと、前記ファイルに設けられ前記コンテンツ情報が再生されるときに再生制御シーケンスに従って再生されないジャンプ領域とを備えた情報記録媒体に対して、コンテンツ情報を記録する情報記録装置であって、前記ジャンプ領域の物理アドレスを不連続な値に設定するアドレス設定手段を備えたことを特徴としている。
【００１４】
請求項１７に記載の発明は、ファイルとしてコンテンツ情報が記録可能なコンテンツ情報記録エリアと前記ファイルに設けられ前記コンテンツ情報が再生されるときに再生制御シーケンスに従って再生されないジャンプ領域とを備えた情報記録媒体に対して、コンテンツ情報を記録する情報記録方法であって、前記ジャンプ領域には、エラー訂正コードではエラー訂正が行なわれないエラーデータが含まれるようにする工程を備えたことを特徴としている。
【発明を実施するための最良の形態】
【００１５】
（第１実施形態）
以下、図１から図６を参照して、本発明の情報記録媒体の一実施形態について詳細に説明する。
【００１６】
本実施形態は、光ディスクに書き込まれたデータに関して、例えばＰＣ（パーソナルコンピュータ）においてファイルとしての読み込みを不可能にすることで、不正コピーを禁止して著作権の保護が実現されることを目的としている。
【００１７】
（光ディスクの構造）
図１（ａ）は、本実施形態の光ディスクの基本構造を示しており、図１（ｂ）は、その光ディスクの概略断面と、これに対応付けられた、その半径方向における記録領域構造を示している。
【００１８】
図１（ａ）及び図１（ｂ）に示すように、光ディスク１００は、例えばＤＶＤ−ＲやＤＶＤ−ＲＷのように一回又は繰り返し記録可能な情報記録媒体である。例えば直径１２ｃｍ程度のディスク本体には、記録層であるＬ０層及びＬ１層が透明基板１０６に積層されることで構成されている。Ｌ０層及びＬ１層の各記録面には、例えばセンターホール１を中心にスパイラル状或いは同心円状に、グルーブトラックやランドトラック等のトラックが設けられており、その中央には、ユーザデータエリア（コンテンツ情報記録エリア）１０２が、外周側及び内周側を緩衝エリアで挟まれるように設定されている。
【００１９】
緩衝エリアは、記録又は再生位置が基板外に外れることを防止する領域であり、ここでは、リードインエリア１０１、リードアウトエリア１０３及びミドルエリア１０４を指す。即ち、Ｌ０層の記録面は、内周側からリードインエリア１０１、ユーザデータエリア１０２及びミドルエリア１０４に区分されている。また、Ｌ１層の記録面は、内周側からリードアウトエリア１０３、ユーザデータエリア１０２及びミドルエリア１０４に区分されている。これらの各領域においては、アドレスが割り付けられたセクタ毎にデータが区分され、また１６セクタ毎に、エラー訂正処理の単位であるＥＣＣ（Error  Correcting  Code：エラー訂正コード）ブロックを構成している。
【００２０】
このような２層型の光ディスク１００では、図１（ｂ）中、透明基板１０６側から照射されるレーザ光ＬＢの集光位置をＬ０層又はＬ１層のいずれに合わせるかに応じて、一方の記録層を選択して記録再生を行うことができる。また、ここでは、２層型の光ディスク１００の記録又は再生手順として、Ｌ０層の内周側から外周側（即ち、リードインエリア１０１からミドルエリア１０４）、更にはＬ１層の外周側から内周側（即ち、ミドルエリア１０４からリードアウトエリア１０３）へと向かう方向に記録又は再生が行なわれるオポジット方式が採用されている。オポジット方式では、Ｌ０層の走査が終わり、Ｌ１層の走査が開始される前に、Ｌ０層からＬ１層への焦点距離だけを切り替えればよいため、Ｌ０層からＬ１層への切り替え時間がパラレル方式と比較して短いという利点がある。
【００２１】
リードインエリア１０１は、光ディスク１００の記録又は再生時に最初にアクセスする領域であり、その内部には、スクランブルに用いる暗号化キー情報が記録されるリファレンスコード領域や、各種の制御情報が記録されるコントロールデータ領域が設定されている。
【００２２】
ユーザデータエリア１０２には、記録すべきコンテンツに対応するデータを記録する領域である。記録すべきデータには、例えば、画像データや音声データ、或いはコンピュータで読み取り可能なプログラムデータ等がある。
【００２３】
リードアウトエリア１０３は、ユーザデータエリア１０２の記録又は再生における終端に後続する領域であり、リードアウトエリア１０３であることを示す情報が記録されている。更に、ミドルエリア１０４は、Ｌ０層及びＬ１層に対する記録又は再生位置が基板外へ外れることを防止する基本機能を有するが、層間ジャンプの際に記録又は再生位置が基板外に外れることを防止する、言わば、“ジャンプ緩衝用エリア”として機能する。具体的には、所定量の緩衝用データがＬ０層のミドルエリア１０４の一部に書き込まれる。そして、このＬ０層のミドルエリア１０４からＬ１層への層間ジャンプを経て、所定量の緩衝用データが、Ｌ１層のミドルエリア１０４の一部として書き込まれると共に引き続いて、Ｌ１層において、記録すべき情報が記録される。
【００２４】
以下では、光ディスク１００がＤＶＤ−Ｒであり、暗号化処理されたＤＶＤ−ＶｉｄｅｏフォーマットでＤＶＤ−Ｒに記録される場合について説明する。
【００２５】
光ディスク１００は、本来ユーザが自由にデータを書き込むための記録媒体である。光ディスク１００にデータが書き込まれた後に、ＰＣにおいてファイルとしての読み込みを不可能にする目的のために、記録媒体の物理構造を変更することは技術的に容易ではない上に、ファイルとしての読み込みを不可能にするために用いられる領域（物理構造の変更箇所）が固定（特定）され易い等の理由により、好ましくない。このことから、本実施形態では、記録媒体としての物理構造を変える必要がない以下の方法を採用している。
【００２６】
即ち、本実施形態では、ビデオコンテンツのオーサリングが行なわれ、再生制御シーケンスに従ってジャンプされるジャンプ領域（図４の符号２０２）が決定されると、光ディスク１００に通常通りビデオコンテンツの書き込みが行われた後に、そのジャンプ領域２０２に、ＥＣＣ（Error  Correction  Code）では訂正不可能なエラーデータ（図４の符号２０３）がオーバーライト（重ね書き）される。これにより、ＰＣにおいてファイルとしての読み込みが非常に困難となる。ここで、上記ジャンプ領域２０２は、再生制御シーケンスに基づいて、ファイルシステムＦＳで参照されない領域である。
【００２７】
図２は、本実施形態による光ディスク１００のＤＶＤ−Ｖｉｄｅｏ構造（データ構造）を示している。なお、このようなデータ構造を有するデータは、実際には、図１で説明したように、二層に分けられた上で記録されている。図２に示すように、光ディスク１００は、リードインエリア１０１、ユーザデータエリア１０２、リードアウトエリア１０３に区分されている。ユーザデータエリア１０２の先頭には、ファイルシステムＦＳが書き込まれれる。各ファイルには、再生制御シーケンス（ナビパック）２０１が含まれる。再生制御シーケンス２０１では、ビデオシーケンスが記載され、再生順序、再生場所（どの領域をジャンプするか）が規定される。
【００２８】
図３は、ＤＶＤ−Ｖｉｄｅｏディレクトリ構造を示している。ビデオコンテンツのオーサリングでは、ＭＰＥＧファイル（ビデオファイル）がビデオオブジェクトファイル（ＶＯＢファイル）に変換され、図３のようなファイル群が構築され、その後、図２に示すようなレイアウトで光ディスク１００に記録される。オーサリングにおいて、ＶＯＢファイルの中に再生制御シーケンス２０１が含まれる。
【００２９】
図４は、本実施形態のレイアウトを示す図である。図５は、図４に示すレイアウトを作成する方法を説明するための図である。図５の中の「記録」の矢印に示すように、図２に示すようなレイアウトで光ディスク１００に記録された後に、図５の中の「オーバーライト」の矢印に示すように、再生制御シーケンス２０１に従ってジャンプされるジャンプ領域（再生されない箇所）２０２のうちの少なくとも一つがオーバーライトされる。そのオーバーライトでは、上記ジャンプ領域２０２に、エラーのデータ２０３が書き込まれる。そのエラーデータ２０３の内容は、ＥＣＣでは訂正されない程度のエラーとされる。
【００３０】
一般のＤＶＤ−Ｖｉｄｅｏ再生装置では、再生制御シーケンス２０１による再生場所の制御がなされ、図４の「ジャンプ」の矢印に示すように、上記エラーデータ２０３の部分はジャンプされて読み出しが行なわれること無く、ビデオコンテンツが再生されるので、問題なく再生が行なわれる。
【００３１】
一方、ＰＣ（パーソナルコンピュータ）において、Ｖｉｄｅｏ再生ではなく、ファイルとして読み込もうとした場合には、ＥＣＣでは訂正不可能なエラーデータ２０３の部分が存在するため、ファイルとして読み込むことは非常に困難となる。これにより、著作権の保護が可能となる。なお、ＰＣにおいて、再生制御シーケンス２０１に従ったＶｉｄｅｏ再生が可能である場合には、エラーデータ２０３の部分が存在する場合であっても、Ｖｉｄｅｏ再生が可能であることはいうまでも無い。
【００３２】
以下、図６を参照して、光ディスク１００に記録する記録再生装置について説明する。
【００３３】
図６における装置３００は、ＣＰＵ（Central Processing Unit）の制御下で、少なくとも光ディスク１００に情報を記録する機能を有している。この装置３００は、記録機能のみならず、更に、光ディスク１００に記録された情報を読み取る機能を有する記録再生装置として構成されていてもよい。以下では、記録再生装置３００として説明する。
【００３４】
この記録再生装置３００は、スピンドルモータ３５１、光ピックアップ３５２、信号記録再生手段３５３、ＣＰＵ（ドライブ制御手段）３５４、メモリ３５５、データ入出力制御手段３０６、操作制御手段３０７、操作ボタン３１０、表示パネル３１１、及びバス３５７を備えて構成されている。このうち、スピンドルモータ３５１、光ピックアップ３５２、信号記録再生手段３５３、ＣＰＵ（ドライブ制御手段）３５４及びメモリ３５５によって、ディスクドライブ（以下、適宜ドライブと称す）が構成されていてもよい。また、データ入出力制御手段３０６、操作制御手段３０７、操作ボタン３１０及び表示パネル３１１によって、ホストコンピュータ（以下、適宜ホストと称す）が構成されてもよい。或いは、ＣＰＵ（ドライブ制御手段）３５４及びバス３５７によって通信手段が構成されていてもよい。
【００３５】
スピンドルモータ３５１は、光ディスク１００を回転及び停止させる手段であり、光デ
ィスク１００へのアクセス時に動作するように構成されている。より詳細には、スピンド
ルモータ３５１は、図示しないサーボユニット等によりスピンドルサーボを受けつつ所定
速度で光ディスク１００を回転及び停止させるように構成されている。
【００３６】
光ピックアップ３５２は、光ディスク１００への記録再生を行う手段であり、半導体レ
ーザ装置及びレンズから構成される。より詳細には、光ピックアップ３５２は、光ディス
ク１００に対してレーザービーム等の光ビームを、再生時には読み取り光として第１のパ
ワーで照射し、記録時には書き込み光として第２のパワーで且つ変調させながら照射する
。
【００３７】
信号記録再生手段３５３は、スピンドルモータ３５１と光ピックアップ３５２を制御す
ることで光ディスク１００に対して記録再生を行う。より具体的には、信号記録再生手段
３５３は、例えば、レーザダイオード（ＬＤ）ドライバ及びヘッドアンプ等によって構成
されている。レーザダイオードドライバ（ＬＤドライバ）は、光ピックアップ３５２内に
設けられた図示しない半導体レーザを駆動する。ヘッドアンプは、光ピックアップ３５２
の出力信号、即ち、光ビームの反射光を増幅し、該増幅した信号を出力する。より詳細に
は、信号記録再生手段３５３は、ＯＰＣ（Optimum Power Calibration）処理時には、Ｃ
ＰＵ３５４の制御下で、図示しないタイミング生成器等と共に、ＯＰＣパターンの記録及
び再生処理により最適なレーザパワーの決定が行えるように、光ピックアップ３５２内に
設けられた図示しない半導体レーザを駆動する。尚、信号記録再生手段３５３は、光ピックアップ３５２と共に、本発明に係る「書き込み手段」の一例を構成する。
【００３８】
メモリ３５５は、記録再生データのバッファ領域や、信号記録再生手段３５３で使用できるデータに変換する時の中間バッファとして使用される領域など記録再生装置３００に
おけるデータ処理全般及びＯＰＣ処理において使用される。また、メモリ３５５はこれら
レコーダ機器としての動作を行うためのプログラム、即ちファームウェアが格納されるＲ
ＯＭ領域と、映像データの圧縮伸張で用いるバッファやプログラム動作に必要な変数が格
納されるＲＡＭ領域などから構成される。
【００３９】
メモリ３５５には、ライティングソフトウェアが格納されている。このライティングソフトウェアは、通常一般のオーサリングツールとしての機能と、本実施形態における特徴的なオーバーライト処理を実行させる機能を有している。
【００４０】
ＣＰＵ（ドライブ制御手段）３５４は、記録再生装置３００全体の制御を行う手段であ
り、バス３５７を介して信号記録再生手段３５３及びメモリ３５５と接続され、各制御手
段に指示を行うように構成されている。通常、ＣＰＵ３５４が動作するためのソフトウェ
ア又はファームウェアは、メモリ３５５に格納されている。尚、ＣＰＵ３５４は、メモリ３５５と共に、本発明に係る「制御手段」の一例を構成する。
【００４１】
データ入出力制御手段３０６は、記録再生装置３００に対する外部からデータ入出力を
制御し、メモリ３５５上のデータバッファへの格納及び取り出しを行うように構成されて
いる。データの入出力が映像信号である場合には、データ入力時には外部から受け取った
データをＭＰＥＧフォーマットに圧縮（エンコード）してからメモリ３５５へ出力し、デ
ータ出力時には、メモリ３５５から受け取ったＭＰＥＧフォーマットのデータを伸張（デ
コード）してから外部へ出力する。
【００４２】
操作制御手段３０７は、操作ボタン３１０から記録再生装置３００に対する動作指示を
受け付ける機能、及び、表示パネル３１１に表示データを送出する機能を有している。具
体的には、記録又は再生といった操作ボタン３１０による指示をＣＰＵ３５４に伝達し、
記録中や再生中といった記録再生装置３００の動作状態を表示パネル３１１に出力するよ
うに、図示しないＣＰＵ及びメモリ等によって構成されている。
【００４３】
このような記録再生装置３００は、例えば、電子配信された映像や一回コピー許可放送を記録再生する家庭用レコーダ機器である。または、記録再生装置３００は、ＫＩＯＳＫ（コンビニエンスストアなどの店舗に設置されている情報端末）などで課金を条件にデジタルコンテンツを光ディスク１００に記録して頒布するためのコンテンツ入りメディアを発売する元の装置であることができる。記録再生装置３００は、メモリ３５５に格納されたプログラムをＣＰＵ３５４で実行させることでレコーダ機器としての動作、即ち、放送受信チューナや外部接続端子からの映像信号をディスク１００に記録することができる。
【００４４】
記録再生装置３００では、ＣＰＵ３５４が信号記録再生手段３５３及び光ピックアップ３５２を制御して、ユーザデータエリア１０２に、記録すべき上記ビデオコンテンツのデータを書き込む（図５の「記録」の矢印参照）。ファイル書き込み動作においては、ユーザデータエリア１０２のうち、再生制御シーケンス２０１によってジャンプされる複数のジャンプ領域２０２のそれぞれのアドレス情報は、取得済みである。上記ユーザデータエリア１０２に上記記録すべきビデオコンテンツのデータの書き込みが行われた後には、上記アドレス情報に基づいて、ＣＰＵ３５４が信号記録再生手段３５３及び光ピックアップ３５２を制御して、ジャンプ領域２０２の少なくとも一つに、ＥＣＣでは訂正不可能なエラーデータ２０３をオーバーライトする（図５の「オーバーライト」の矢印参照）。
【００４５】
これにより、ＰＣでは、ファイルとしての読み込みが非常に困難となり、不正コピーが抑えられる。また、ＰＣへのコピーが非常に困難になるため、ＰＣ上において暗号が解除されることを防ぐことができる。上記のように、記録再生装置３００が家庭用レコーダ機器である場合には、ユーザにより上記オーバーライトが行なわれ、記録再生装置３００がＫＩＯＳＫなどの設置される装置であれば、コンテンツ入りメディアの発売元において、上記オーバーライトが行なわれることができる。
【００４６】
ところで、上記特許文献１に記載された技術では、上記遷移部を含んでグループトラック及びランドトラックが形成された光ディスクを大量生産するためのスタンパディスクの製作が行われるため、上記遷移部の場所がロットで固定される。解析をより困難にするためには、上記のような不正コピー対策が施された場所が任意に設定可能であることが望まれている。
【００４７】
これに対して、本実施形態では、図４及び図５に示すように、ファイル内に複数存在する、再生制御シーケンス２０１によってジャンプされるジャンプ領域２０２のうち、いずれのジャンプ領域２０２に上記エラーデータ２０３がオーバーライトされるかについては、オーバーライト時に、ＣＰＵ３５４がメモリ３５５に格納されたライティングソフトウェアを実行することにより、任意に設定されることができる。図４及び図５の例では、Ｆｉｌｅ６に３つ存在するジャンプ領域２０２のうち、先頭側の２つにエラーデータ２０３が書き込まれており、最後の１つにはエラーデータ２０３が書き込まれていない。
【００４８】
この場合、複数のジャンプ領域２０２の中から、エラーデータ２０３がオーバーライトされるジャンプ領域２０２が選定されるに際しては、例えば乱数が用いられることができる。例えば、同じコンテンツが電子配信されて複数の光ディスク１００に記録される場合において、ある一の光ディスク１００に対してエラーデータ２０３がオーバーライトされるジャンプ領域２０２と、他の光ディスク１００に対してエラーデータ２０３がオーバーライトされるジャンプ領域２０２が異なっていてもよい。このように、エラーデータ２０３がオーバーライトされる位置が任意に設定されることから、著作権保護のレベルを高めることができる。
【００４９】
本実施形態では、光ディスク１００においてスパイラル状に連続するユーザデータエリア１０２内の複数のジャンプ領域２０２のうちの任意のジャンプ領域２０２にエラーデータ２０３が書き込まれるため、ＰＣにおいてファイルとしての読み込みを非常に困難にするために用いられる領域の場所の特定が困難になる。また、ファイル内のジャンプ領域２０２にエラーデータ２０３が書き込まれるため、ファイルとしての読み込みが非常に困難になる。
【００５０】
（第２実施形態）
次に、第２実施形態について説明する。
第２実施形態では、上記第１実施形態と共通する部分についての説明は省略し、特徴部分についてのみ説明する。
【００５１】
上記第１実施形態では、ビデオコンテンツのオーサリング自体に特徴的な処理は無く、通常一般の通りのオーサリングが行なわれ、そのオーサリングの結果として定められた再生制御シーケンス２０１によって規定されるジャンプ領域２０２に対して、エラーデータ２０３をオーバーライトするものであった。
【００５２】
これに対して、第２実施形態では、上記メモリ３５５に格納されたライティングソフトウェアは、本実施例における特徴的なデータ処理のためのオーサリングツールとしての機能を有している。即ち、ＣＰＵ３５４がライティングソフトウェアを実行してオーサリングを行なうと、ファイルの中の所定の領域において、かつ所定のデータ長のエラーデータ２０３のオーバーライトが可能となるように、所定の領域にかつ所定の大きさのジャンプ領域２０２が形成される再生制御シーケンス２０１が予め定められる。
【００５３】
これにより、確実に、所定の領域にかつ十分な長さのエラーデータ２０３をオーバーライトすることができるため、著作権保護のレベルを高めることができる。エラーデータ２０３が数十トラックにわたって連続又は離散的に入るように、上記ジャンプ箇所２０２が設定されることができる。
【００５４】
（第３実施形態）
次に、第３実施形態について説明する。
第３実施形態では、上記第１又は第２実施形態と共通する部分についての説明は省略し、特徴部分についてのみ説明する。
【００５５】
上記第１又は第２実施形態では、ＣＰＵ３５４が信号記録再生手段３５３及び光ピックアップ３５２を制御して、ユーザデータエリア１０２に、記録すべき上記ビデオコンテンツのデータを書き込んだ後に、再生制御シーケンス２０１によってジャンプされる複数のジャンプ領域２０２のそれぞれのアドレス情報に基づいて、上記ジャンプされる領域２０２に、エラーデータ２０３をオーバーライトするものであった。
【００５６】
図７は、本実施形態のレイアウトを示す図である。図８は、図７に示すレイアウトを作成する方法を説明するための図である。第３実施形態では、図８の中の「記録」の矢印に示すように、ＣＰＵ３５４が信号記録再生手段３５３及び光ピックアップ３５２を制御して、ユーザデータエリア１０２に、記録すべき上記ビデオコンテンツのデータを書き込む動作を行ないつつ、図８の中の「未記録」の矢印に示すように、ジャンプ領域２０２のアドレス情報に基づいて、ジャンプ領域２０２のうちの少なくとも一つには、書き込み動作を実行しない。即ち、図８に示すように、ユーザデータエリア１０２に、記録すべき上記ビデオコンテンツのデータを書き込みつつ、ジャンプ領域２０２に対しては、書き込み動作を実行せずに未記録の領域２０４とする。未記録領域２０４は、ＥＣＣでは訂正できない。
【００５７】
一般のＤＶＤ−Ｖｉｄｅｏ再生装置では、再生制御シーケンス２０１による再生場所の制御がなされ、図７の「ジャンプ」の矢印に示すように、上記未記録領域２０４はジャンプされて読み出しが行なわれること無く、ビデオコンテンツが再生されるので、問題なく再生が行なわれる。
【００５８】
一方、ＰＣにおいて、Ｖｉｄｅｏ再生ではなく、ファイルとして読み込もうとした場合には、ＥＣＣでは訂正不可能な未記録領域２０４の部分が存在するため、ファイルとして読み込むことは非常に困難となる。これにより、著作権の保護が可能となる。
【００５９】
（第４実施形態）
次に、第４実施形態について説明する。
第４実施形態では、上記実施形態と共通する部分についての説明は省略し、特徴部分についてのみ説明する。
【００６０】
本実施形態では、光ディスク１００に上記ビデオコンテンツのデータの記録が行なわれる際に、ファイルの中の所定の部分のＥＣＣブロックのＥＣＣ自体が誤ったデータとして記録される。これにより、ＥＣＣを使用したコピーができないようにする。また、予め、ビデオコンテンツのオーサリングの際に、上記誤ったデータが記録されるＥＣＣの部分がジャンプ（パス）されるように再生制御シーケンス２０１が定められる。
【００６１】
これにより、ＤＶＤ−Ｖｉｄｅｏ再生装置では、再生制御シーケンス２０１に従って、上記誤ったデータが記録されるＥＣＣの部分がジャンプされるので、問題なく再生することができるのに対して、ＰＣでは、ＥＣＣ単位でコピーされるため、エラー訂正が不可能になり、コピーができなくなる。これにより、著作権の保護が図られる。
【００６２】
（第５実施形態）
次に、第５実施形態について説明する。
第５実施形態では、上記実施形態と共通する部分についての説明は省略し、特徴部分についてのみ説明する。
【００６３】
第５実施形態では、上記ジャンプ領域２０２の物理アドレスが不連続になるように設定される。これにより、ＤＶＤ−Ｖｉｄｅｏ再生装置では、再生制御シーケンス２０１に従って、上記物理アドレスが不連続となるように設定されたジャンプ領域２０２がジャンプされるので、問題なく再生することができるのに対して、ＰＣでは、上記物理アドレスが不連続となるように設定されたジャンプ領域２０２を含むファイルをファイルとして読み込むことができなくなる。これにより、著作権の保護が図られる。
【００６４】
上記実施形態では、以下の項が開示される。
【００６５】
（項１）
ファイルとしてコンテンツ情報が記録されたコンテンツ情報記録エリア１０２と、前記ファイルに設けられ、前記コンテンツ情報が再生されるときに再生制御シーケンス２０１に従って再生されないジャンプ領域２０２とを備えた情報記録媒体１００であって、前記ジャンプ領域２０２には、エラー訂正コードではエラー訂正が行なわれないエラーデータ２０３が書き込まれていることを特徴としている。
【００６６】
（項２）
ファイルとしてコンテンツ情報が記録されたコンテンツ情報記録エリア１０２と、前記ファイルに設けられ、前記コンテンツ情報が再生されるときに再生制御シーケンス２０１に従って再生されないジャンプ領域２０２とを備えた情報記録媒体１００であって、前記情報記録媒体のエラー訂正コードが書き込まれるべきＥＣＣ領域には、エラー訂正を行なうことができない誤ったデータが書き込まれており、前記ＥＣＣ領域は、前記ジャンプ領域２０２に設定されていることを特徴としている。
【００６７】
（項３）
ファイルとしてコンテンツ情報が記録されたコンテンツ情報記録エリア１０２と、前記ファイルに設けられ、前記コンテンツ情報が再生されるときに再生制御シーケンス２０１に従って再生されないジャンプ領域２０２とを備えた情報記録媒体１００であって、前記ジャンプ領域２０２の物理アドレスは、不連続となるように設定されていることを特徴としている。
【００６８】
項１から項３によれば、ファイルとして記録されているコンテンツ情報に関して、例えばＰＣにおいてファイルとしての読み込みが非常に困難となる。
【００６９】
（項４）
ファイルとしてコンテンツ情報が記録可能なコンテンツ情報記録エリア１０２と前記ファイルに設けられ前記コンテンツ情報が再生されるときに再生制御シーケンス２０１に従って再生されないジャンプ領域２０２とを備えた情報記録媒体１００に対して、コンテンツ情報を記録する情報記録装置３００であって、前記情報記録媒体１００にデータを書き込み可能な書き込み手段３５２，３５３と、前記ジャンプ領域２０２には、エラー訂正コードではエラー訂正が行なわれないエラーデータ２０３が含まれるように前記書き込み手段３５２，３５３を制御する制御手段３５４，３５５とを備えたことを特徴としている。
【００７０】
（項５）
ファイルとしてコンテンツ情報が記録されたコンテンツ情報記録エリア１０２と、前記ファイルに設けられ前記コンテンツ情報が再生されるときに再生制御シーケンス２０１に従って再生されないジャンプ領域２０２とを備えた情報記録媒体１００に対して、コンテンツ情報を記録する情報記録装置３００であって、前記情報記録媒体１００にデータを書き込み可能な書き込み手段３５２，３５３と、ライティングソフトウェアと、前記情報記録媒体１００のエラー訂正コードが書き込まれるべきＥＣＣ領域には、エラー訂正を行なうことができない誤ったデータを書き込むように前記書き込み手段３５２，３５３を制御する制御手段３５４，３５５とを備え、前記ライティングソフトウェアは、前記ライティングソフトウェアが実行されることにより、前記ＥＣＣ領域が前記ジャンプ領域２０２に設定されるように記述されていることを特徴としている。
【００７１】
（項６）
ファイルとしてコンテンツ情報が記録されたコンテンツ情報記録エリア１０２と、前記ファイルに設けられ前記コンテンツ情報が再生されるときに再生制御シーケンス２０１に従って再生されないジャンプ領域２０２とを備えた情報記録媒体１００に対して、コンテンツ情報を記録する情報記録装置３００であって、前記ジャンプ領域２０２の物理アドレスを不連続な値に設定するアドレス設定手段を備えたことを特徴としている。
【００７２】
（項７）
ファイルとしてコンテンツ情報が記録可能なコンテンツ情報記録エリア１０２と前記ファイルに設けられ前記コンテンツ情報が再生されるときに再生制御シーケンス２０１に従って再生されないジャンプ領域２０２とを備えた情報記録媒体１００に対して、コンテンツ情報を記録する情報記録方法であって、前記ジャンプ領域２０２には、エラー訂正コードではエラー訂正が行なわれないエラーデータ２０３が含まれるようにする工程を備えたことを特徴としている。
【００７３】
項４から項７によれば、ファイルとして記録されているコンテンツ情報に関して、例えばＰＣにおいてファイルとしての読み込みが非常に困難となる情報記録媒体が作成される。
【図面の簡単な説明】
【００７４】
【図１】本発明の情報記録媒体の第１実施形態の基本構造を示す概略平面図（ａ）及び、その概略断面図と、半径方向における記録領域構造の図式的概念図（ｂ）である。
【図２】本発明の情報記録媒体の第１実施形態のＤＶＤ−Ｖｉｄｅｏ構造を示す図である。
【図３】本発明の情報記録媒体の第１実施形態のＤＶＤ−Ｖｉｄｅｏディレクトリ構造を示す図である。
【図４】本発明の情報記録媒体の第１実施形態のレイアウトを示す図である。
【図５】本発明の情報記録媒体の第１実施形態のレイアウトを作成する方法を示す図である。
【図６】本発明の情報記録装置の第１実施形態の構成を示すブロック図である。
【図７】本発明の情報記録媒体の第３実施形態のレイアウトを示す図である。
【図８】本発明の情報記録媒体の第３実施形態のレイアウトを作成する方法を示す図である。
【符号の説明】
【００７５】
１００  光ディスク
１０１  リードインエリア
１０２  ユーザデータエリア
１０３  リードアウトエリア
１０４  ミドルエリア
１０６  透明基板
２０１  再生制御シーケンス
２０２  ジャンプ領域
２０３  エラーデータ
２０４  未記録領域
３００  記録再生装置
３０６  データ入出力制御手段
３０７  操作制御手段
３１０  操作ボタン
３１１  表示パネル
３５１  スピンドルモータ
３５２  光ピックアップ
３５３  信号記録再生手段
３５４  ＣＰＵ
３５５  メモリ
３５７  バス
【図１】
2006221685.tif 000003
【図２】
2006221685.tif 000004
【図３】
2006221685.tif 000005
【図４】
2006221685.tif 000006
【図５】
2006221685.tif 000007
【図６】
2006221685.tif 000008
【図７】
2006221685.tif 000009
【図８】
2006221685.tif 000010